(57)【要約】      （修正有）【課題】集塵効果を高くすることができる集塵カバーを提供する。【解決手段】被固定物１に固定具２を打入したり引き抜いたりするときに生じる粉塵４の拡散を防止するための集塵カバーＡに関する。固定具２を囲うための筒状のカバー本体１０に、吸引装置と接続されるホース１２を連結するための接続部１１を形成する。カバー本体１０を伸縮自在に形成する。【選択図】図２
2007168186.tif 000002
【特許請求の範囲】
【請求項１】
被固定物に固定具を打入したり引き抜いたりするときに生じる粉塵の拡散を防止するための集塵カバーであって、固定具を囲うための筒状のカバー本体に、吸引装置と接続されるホースを連結するための接続部を形成し、カバー本体を伸縮自在に形成して成ることを特徴とする集塵カバー。
【請求項２】
カバー本体に蛇腹部を設けることによって、伸縮自在に形成して成ることを特徴とする請求項１に記載の集塵カバー。
【請求項３】
カバー本体を弾性変形材料で形成することによって、伸縮自在に形成して成ることを特徴とする請求項１又は２に記載の集塵カバー。
【請求項４】
カバー本体をその内部が透視可能に形成して成ることを特徴とする請求項１乃至３のいずれかに記載の集塵カバー。
【請求項５】
カバー本体にその内部を透視可能な窓部を設けて成ることを特徴とする請求項１乃至４のいずれかに記載の集塵カバー。
【発明の詳細な説明】
【技術分野】
【０００１】
本発明は、被固定物を固定するための固定具をドライバで回転させた際に生じる粉塵の拡散を防止するための集塵カバーに関するものである。
【背景技術】
【０００２】
石綿平板スレート瓦等の屋根材を用いた屋根の改修工事が行われている（例えば、特許文献１参照）。このような改修工事において、既存の屋根材に打入されたビスやテクスなどの固定具を緩めたり、あるいは当該屋根材に新たに固定具を打ち込んで締め付けたりする際に、屋根材が固定具による切削作用を受けて大量のアスベスト粉が空気中に拡散し、作業者及び近隣に多大な影響が及ぶ恐れがあった。
【０００３】
そこで、図５に示すような集塵機が用いられている。この集塵機は、作業者Ｈが背中に担ぐ吸引装置１５と、作業者Ｈが一方の手首に装着する端末器５０と、吸引装置１５と端末器５０とを接続するホース１２とを具備して形成されている。吸引装置１５は吸引作用を発生するものである。端末器５０はメガホンのような形状である。そして、端末器５０を装着していない方の手で電動工具などのドライバ３を操作して固定具２を締めたり緩めたりするが、この時、端末器５０の開口を固定具２側に向けて近づけることにより、端末器５０、ホース１２を通じて吸引装置１５へとアスベスト粉を吸引除去するものである。
【０００４】
しかし、この方法では、アスベスト粉に及ぶ吸引作用が小さくて集塵効果が低いという問題があった。
【特許文献１】特開２００３−３０１５６６号公報
【発明の開示】
【発明が解決しようとする課題】
【０００５】
本発明は上記の点に鑑みてなされたものであり、集塵効果を高くすることができる集塵カバーを提供することを目的とするものである。
【課題を解決するための手段】
【０００６】
本発明に係る集塵カバーＡは、被固定物１に固定具２を打入したり引き抜いたりするときに生じる粉塵４の拡散を防止するための集塵カバーＡであって、固定具２を囲うための筒状のカバー本体１０に、吸引装置１５と接続されるホース１２を連結するための接続部１１を形成し、カバー本体１０を伸縮自在に形成して成ることを特徴とするものである。
【０００７】
本発明にあって、カバー本体１０に蛇腹部１３を設けることによって、伸縮自在に形成することができる。
【０００８】
また、本発明にあっては、カバー本体１０を弾性変形材料で形成することによって、伸縮自在に形成することができる。
【０００９】
また、本発明にあっては、カバー本体１０をその内部が透視可能に形成するのが好ましい。
【００１０】
また、本発明にあっては、カバー本体１０にその内部を透視可能な窓部１４を設けるのが好ましい。
【発明の効果】
【００１１】
固定具２をカバー本体１０で囲った状態で接続部１１及びホース１２を通じて吸引装置１５の吸引作用をカバー本体１０の内側空間に及ぼしつつ、カバー本体１０を伸縮させながら固定具２を打入したり引き抜いたりすることによって、固定具２の打入や引き抜きで生じる粉塵４をカバー本体１０から漏れ出さないようにし、吸引装置１５による吸引作用をカバー本体１０の内側空間の粉塵４に及ぼしやすくすることができ、粉塵４の拡散を防止して集塵効果を高くすることができるものである。
【００１２】
また、カバー体本１０を蛇腹部１３や弾性変形材料により伸縮させることができ、ドライバ３により固定具２を締め付けたりや緩めたりする作業を容易に行うことができるものである。
【００１３】
また、カバー本体１０の内部空間を窓部１４などにより透視しながらドライバ３により固定具２を締め付けたりや緩めたりする作業を容易に行うことができるものである。
【発明を実施するための最良の形態】
【００１４】
以下、本発明を実施するための最良の形態を説明する。
【００１５】
図１に本発明の集塵カバーＡの一例を示す。この集塵カバーＡは、上下方向に長い略円筒状のカバー本体１０に接続部１１や窓部１４などを設けて形成されるものである。
【００１６】
カバー本体１０は、その内側空間が外側から透かして見えるように透視可能な材料で形成するのが好ましい。また、カバー本体１０は、上下方向に伸縮するように弾性変形可能な材料で形成するのが好ましい。すなわち、カバー本体１０は弾性と透明性の両方を備えた材料で形成するのが好ましく、後述の蛇腹部１３やカバー本体１０の先端部分の変形性を考慮して軟質樹脂が好ましく、例えば、塩化ビニル樹脂、ポリプロピレン、ポリエチレン、ポリウレタンなどを挙げることができ、これら以外にもゴムなどの材料を用いることができる。また、硬質樹脂であっても組合せなどにより使用は可能であり、カバー本体１０を形成するにあたって上記のような材料に限定されるものではない。
【００１７】
カバー本体１０の下面は、囲い口２０として開放されている。また、カバー本体１０の下側略半分は、蛇腹部１３として蛇腹状に形成されていると共にスカートのように下部になるほど径が大きくなるように形成されている。カバー本体１０の上面は、取り付け口２１として開放されている。また、カバー本体１０の上部には締め付けリング２２が装着されている。
【００１８】
カバー本体１０の中央よりもやや上側の側面には、接続部１１が一体的に突設されている。接続部１１はカバー本体１０と同材料で同時に成形することができる。また、接続部１１はカバー本体１０の内側空間と連通するパイプであって、その先端には締め付けリング２３が装着されている。
【００１９】
また、カバー本体１０の中央よりもやや上側の側面には、窓部１４が突設されている。窓部１４はカバー本体１０の側面に一体的に形成された略逆円錐状の基台部２４と、基台部２４の上面に形成される透明の透視部２５とで形成することができる。基台部２４はカバー本体１０と同材料で同時に成形することができる。また、透視部２５はガラス板やプラスチック板などを基台部２４に嵌め込んで形成することができる。
【００２０】
上記のような集塵カバーＡは、ドライバ３に装着して使用される。すなわち、ドライバ３としてはドライバビット３ａを取り付けた電動工具３ｂを用い、この電動工具３ｂの回転部分３ｃの直上の不回転部分３ｄを取り付け口２１内に納めて締め付けリング２２で締め付けるようにする。また、この集塵カバーＡの接続部１１には、図５に示す従来例と同様の吸引装置１５と接続されるホース１２の端部が連結される。この場合、ホース１２の端部を接続部１１に差し込んで締め付けリング２３で締め付けるようにする。
【００２１】
そして、上記の集塵カバーＡを装着したドライバ３を用いて固着具２を締め付けたり緩めたりして打入や引き抜きをするにあたっては、以下のようにして行う。まず、ドライバ３で回転させる対象の固定具２の周囲を囲うようにして集塵カバーＡを配置する。この時、集塵カバーＡの囲い口２０が固定具２の周囲において被固定物１の表面に密着する。ここで、被固定物１とは固定具２が挿着された石綿スレート板などの建材を例示することができるが、これに限定されるものではない。また、集塵カバーＡと被固定物１との密着性はそれほど高くなくても良く、多少隙間があっても良い。
【００２２】
次に、蛇腹部１３を収縮させながらドライバ３を下動させていき、ドライバビット３ａの先端を固定具２の頭部２ａに連結させる。この時、集塵カバーＡ全体が透明であっても、蛇腹部１３などによりドライバビット３ａと固定具２の頭部２ａとが見えにくく連結させにくい場合がある。そこで、本発明では、図３（ａ）（ｂ）に示すように、窓部１４の透視部２５から覗いてドライバビット３ａと固定具２の頭部２ａとを視認しながら、容易にドライバビット３ａの先端を固定具２の頭部２ａに連結させることができる。
【００２３】
次に、ドライバビット３ａを回転させて固定具２を回転させることにより、固定具２を締め付けたり緩めたりしていく。この時、固定具２の回転により被固定物１が削られてアスベスト粉などの粉塵４が発生するが、集塵カバーＡには吸引装置１５が接続されているので、粉塵４は接続部１１及びホース１２を通じて吸引装置１５に吸引される。これら粉塵４は吸引装置１５でＨＥＰＡフィルタなどのフィルタで捕捉され、回収・処分される。
【００２４】
このようにして本発明の集塵カバーＡでは粉塵４の拡散を防止することができる。また、新たに固定具２を被固定物１に螺入する場合も集塵カバーＡで囲いながら行うために上記と同様に粉塵４の拡散を防止することができる。
【００２５】
本発明の集塵カバーＡの形状は任意であって、例えば、図４（ａ）に示すように、蛇腹部１３の上下寸法を短くしたり、図４（ｂ）に示すように、カバー本体１０の下側略半分を下部ほど径が小さくなるように絞り込んだりすることもできる。
【図面の簡単な説明】
【００２６】
【図１】本発明の実施の形態の一例を示す斜視図である。
【図２】同上の使用状態を示す側面図である。
【図３】同上の使用状態を示し、（ａ）（ｂ）は一部の拡大図である。
【図４】同上の他例を示し、（ａ）（ｂ）は斜視図である。
【図５】従来例を示す斜視図である。
【符号の説明】
【００２７】
１  被固定物
２  固定具
４  粉塵
１０  カバー本体
１１  接続部
１２  ホース
１３  蛇腹部
１４  窓部
Ａ  集塵カバー
【図１】
2007168186.tif 000003
【図２】
2007168186.tif 000004
【図３】
2007168186.tif 000005
【図４】
2007168186.tif 000006
【図５】
2007168186.tif 000007